(57)【要約】【課題】  玉葱の大きさ・形状に左右されることなく半自動で安全・確実に切断出来るようにした切断機能を持つ根茎切断装置を提供する。【解決手段】  玉葱１０の根１０Ａを奥方へ引き伸ばす一対の根引寄せ回転ブラシＢ１，Ｂ２と、上記回転ブラシの前面に配置し玉葱の前後位置を規制するガイド板９１とガイドバー９３とからなる位置決め部材９０と、上記回転ブラシの下方側に配置した一対の根切り回転刃Ｃ１，Ｃ２と、上記回転刃の前面に配置した玉葱保護用カバー体２０と、上記玉葱保護用カバー体の手前下方に配置した一対の茎切り回転刃Ｃ３，Ｃ４と、上記一対の茎切り回転刃を上記玉葱保護用カバー体に対し接離するよう支持し適度のばね力で接近付与する揺動支持体３０と、を備える。【選択図】  図１
0003115493.tif 000002
【実用新案登録請求の範囲】
【請求項１】
玉葱の茎部を手前に水平姿勢に手に持ち根を奥方へ引き伸ばすべく垂直回転軸に取り付けた一対の根引寄せ回転ブラシと、上記回転ブラシの前面に配置し玉葱の前後位置を規制するガイド板とガイドバーからなる位置決め部材と、上記回転ブラシの下方側に配置し前後方向の水平回転軸に取り付けた一対の根切り回転刃と、上記回転刃の前面を被った玉葱保護用カバー体と、上記玉葱保護用カバー体の手前下方に前後方向の水平回転軸に取り付けた一対の茎切り回転刃と、上記一対の茎切り回転刃を上記玉葱保護用カバー体に対して接近・離反するように支持し且つ適度のばね力で接近付与する揺動支持体と、上記一対の回転ブラシ及び一対の根切り回転刃を回転駆動する駆動モータと、を具備したことを特徴とする玉葱の根茎切断装置。
【請求項２】
上記玉葱保護用カバー体と一対の茎切り回転刃との空間内に、玉葱の球体下側を保持する下ホルダと球体上側を上方から手動操作して降下・挟持させる上ホルダとからなる玉葱保持体を備えたことを特徴とする請求項１記載の玉葱の根茎切断装置。
【請求項３】
上記玉葱保持体は、玉葱の茎切断時に上ホルダを駆動手段により積極的に降下駆動・上昇駆動させることを特徴とする請求項２記載の玉葱の根茎切断装置．
【考案の詳細な説明】
【技術分野】
【０００１】  本考案は、例えば、玉葱の球体から根と茎とを切断して玉葱の球体のみとする玉葱の根茎切断装置に係り、特に、玉葱の大きさ・形状に左右されることなく半自動で安全・確実に切断出来る自動切断機能を持った根茎切断装置を提供するものに関する。
【背景技術】
【０００２】  従来、玉葱から根と茎とを切断して玉葱の球体のみとする玉葱の根茎切断装置には、例えば、玉葱の搬送具と把持具と切断具と排出シュート等を備えた全自動の切断装置（玉葱調整機）が提供されている。【０００３】  以下、従来の玉葱の根茎切断装置の構成を説明する。上記切断装置（玉葱調整機）は、水平方向に玉葱を搬送する搬送部を、前側の整列搬送装置と後側の挟持搬送装置により構成し、該挟持搬送装置の上方に玉葱の根を切断する根切断装置を、下方に玉葱の茎を切断する茎切断装置を配置し、前記整列搬送装置を、２本の平行する回転軸上に、螺旋状にブラシを装着し、互いに逆方向に回転して搬送するように構成し、前記整列搬送装置の中途部上方に反転機構を配置したものである（例えば、特許文献１参照。）。【０００４】  上記切断装置（玉葱調整機）では、玉葱を搬送する搬送部と、挟持搬送装置と、該挟持搬送装置の上方に玉葱の根を切断する根切断装置と、下方に玉葱の茎を切断する茎切断装置と、整列搬送装置は２本の平行する回転軸上に、螺旋状にブラシを装着し、互いに逆方向に回転して搬送し、整列搬送装置の中途部上方に反転機構を配置したものであるから、玉葱の根と茎の切断作業が全自動に行われて作業能率が高められる利点がある。
しかし、上記切断装置（玉葱調整機）の全自動化は、装置の複雑化・高価化やメンテナンスの複雑化を招き、玉葱生産に対する収益性を低下させている。そもそも、玉葱の生産は季節物で、年間をとおして常に使用されるものでないことから、大規模な玉葱栽培には向くが、小規模から中規模な玉葱栽培の生産者には向かない。即ち、機械化の為には、多額の資本投入と機械のメンテナンスや償却費を伴い、小規模生産者にとっては、玉葱生産による利潤確保が困難であると言う問題点がある。【０００５】
【特許文献１】  特開２０００−９８２１号
【考案の開示】
【考案が解決しようとする課題】
【０００６】  本考案は、小規模から中規模生産者にとって、上記切断装置（玉葱調整機）が持つ問題に鑑みてなされたもので、その目的とするところは、小規模から中規模生産者に向くように玉葱の根茎の切断処理作業を半自動として、玉葱の大きさ・形状に左右されることなく確実に切断処理できるようにした新規な根茎切断装置を提供するものである。
【課題を解決するための手段】
【０００７】  上記目的を達成するべく本考案の請求項１による玉葱の根茎切断装置は、玉葱の茎部を手前に水平姿勢に手に持ち根を奥方へ引き伸ばすべく垂直回転軸に取り付けた一対の根引寄せ回転ブラシと、上記回転ブラシの前面に配置し玉葱の前後位置を規制するガイド板とガイドバーからなる位置決め部材と、上記回転ブラシの下方側に配置し前後方向の水平回転軸に取り付けた一対の根切り回転刃と、上記回転刃の前面を被った玉葱保護用カバー体と、上記玉葱保護用カバー体の手前下方に前後方向の水平回転軸に取り付けた一対の茎切り回転刃と、上記一対の茎切り回転刃を上記玉葱保護用カバー体に対して接近・離反するように支持し且つ適度のばね力で接近付与する揺動支持体と、上記一対の回転ブラシ及び一対の根切り回転刃を回転駆動する駆動モータと、を具備したことを特徴とするものである。【０００８】  また、請求項２による根茎切断装置は、請求項１記載の玉葱の根茎切断において、上記玉葱保護用カバー体と一対の茎切り回転刃との空間内に、玉葱の球体下側を保持する下ホルダと球体上側を上方から手動操作して降下して挟持させる上ホルダとからなる玉葱保持体を備えたことを特徴とする。【０００９】  また、請求項３による根茎切断装置は、請求項２記載の玉葱の根茎切断において、上記玉葱保持体は、玉葱の茎切断時に上ホルダを駆動手段により積極的に降下駆動・上昇駆動させることを特徴とするものである。【００１０】  すなわち、本考案の玉葱の根茎切断装置は、玉葱の球体を水平姿勢に手に持ち、根を奥側へ揃えて位置決め部材のガイド板に押し当て下方のガイドバーへ誘導すると根部が一対の回転ブラシに引き伸ばされて導入される。これで、玉葱の根は束ねられた形態で奥方へ適度の緊張状態で引き伸ばされる。この状態の根は、玉葱を一対の根切り回転刃に接近させながら下方へ通過させることで根元が切断される。このとき玉葱の根元の果肉部は、一対の回転刃の前面を被った玉葱保護用カバー体でも保護されているから切断されず、根元からきれいに所定の寸法関係で切断される。上記玉葱は根元の切断後に、上記回転刃の手前に配置し玉葱保護用カバー体の前面に接して下方へ水平姿勢のままで押し下げると、この球体が上記玉葱保護用カバー体に対し適度のばね力で接近付与する揺動支持体に支持された一対の茎切り回転刃を離反させる。これと同時に、玉葱の茎葉が所定の切断位置でカットされる。しかして、玉葱は、その根茎切断処理が容易・安全・正確に行われる。【００１１】  また、上記玉葱を根元の切断後に、玉葱保護用カバー体の前面に接して下方へ水平姿勢のままで押し下げるとき、玉葱の球体が上記玉葱保護用カバー体の前面にある一対の茎切り回転刃を押し広げて離反させると同時に、玉葱の球体下側を下ホルダで支持し、また球体上側は上ホルダの下降で挟持される玉葱保持体により、玉葱の水平姿勢を保持したままで、一対の茎切り回転刃間を手動操作又は自動操作のもとに押し下げる。これにより、玉葱は水平姿勢が崩れることなく正確な寸法と綺麗な切り口が得られる。【００１２】  また、本考案の根茎切断装置は、玉葱の茎切断時に、一対の回転ブラシ及び一対の根切り回転刃を駆動モータにより強制駆動され、且つ上ホルダを駆動手段により積極的に降下駆動・上昇駆動されるから、玉葱の球体等を水平姿勢に手に持った状態で、軽く・スムーズに切断作業が行われる。
【考案の効果】
【００１３】  本考案の玉葱の根茎切断装置によると、まず、玉葱は水平姿勢に手に持って位置決め部材に沿って押し下げるだけで、駆動モータにより回転ブラシ及び一対の根切り回転刃が強制駆動されるから、根が根元から綺麗に切断でき、球体の首部が所定の首寸法のもとに正確に切断できる。また、玉葱は、玉葱保持体により球体下側が下ホルダで支持され球体上側が上ホルダで挟持されるから、玉葱はその水平姿勢を保持したたままで、一対の茎切り回転刃間を手動操作又は自動操作のもとに押し下げられ、水平姿勢が崩れることなく茎葉が軽く・スムーズに正確な寸法と綺麗な切り口で切断できる。【００１４】  即ち、本考案の玉葱の根茎切断装置は、小規模から中規模な玉葱栽培の生産者に向き、小規模生産者にとって、玉葱生産による利潤確保が可能である。
【考案を実施するための最良の形態】
【００１５】  以下、図１乃至図６を参照して本考案の第１の実施の形態を説明する。図１は本実施の形態による玉葱の根茎切断装置を示す斜視図であり、図２はその側面図、図３は作用図である。【００１６】  以下、本考案となる玉葱の根茎切断装置１００の構成を説明する。まず、根茎切断装置１００を構成するフレーム体Ｆにおいて、フレーム体Ｆの前上部には、玉葱１０の根１０Ａを奥方へ引き伸ばすべく垂直回転軸Ｓ１，Ｓ２に取り付けた一対の根引寄せ回転ブラシＢ１，Ｂ２と、上記回転ブラシの中央前面に配置して玉葱の前後位置を規制するガイド板９１とこの中央下方へ伸ばしたガイドバー９３からなる位置決め部材９０を備えている。この位置決め部材９０のガイドバー９３は、ガイド板９１に明けた孔９１Ａに差し込み螺子Ｎにより任意位置に固定することで上下長さ位置調節ができる。しかして、この垂直回転軸Ｓ１，Ｓ２は、一対の回転ブラシＢ１，Ｂ２を前側から中央位置｛Ｃ｝側へ巻き込むように互いに逆方向に回転駆動される。その駆動系は、二つの垂直回転軸Ｓ１，Ｓ２の上端に備えるプーリー１，２にベルト３がタスキ掛けされ、一方の垂直回転軸Ｓ１から減速機付の駆動モータＤＭにフレキシブルワイヤＦＷが繋がれている。上記回転ブラシに接近した下方に一対の根切り回転刃Ｃ１，Ｃ２が前後方向に向けた水平回転軸Ｓ３，Ｓ４に配置されている。この水平回転軸Ｓ３，Ｓ４は、一対の根切り回転刃Ｃ１，Ｃ２を上側から中央位置｛Ｃ｝に巻き込むように互いに逆方向に回転駆動される。この駆動系も、水平回転軸Ｓ３，Ｓ４の後端に備えるプーリー４，５にベルト６がタスキ掛けされ、一方の垂直回転軸Ｓ３から減速機付の駆動モータＤＭにフレキシブルワイヤＦＷが繋がれている。これで、上記一対の回転ブラシＢ１，Ｂ２及び一対の根切り回転刃Ｃ１，Ｃ２は、フレキシブルワイヤＦＷにより一つの駆動モータＤＭに繋がり、一斉に強制駆動されるように構成されている。勿論、複数の駆動モータで個別に駆動させる構成としても良い。しかして、玉葱の根は、一対の根切り回転刃Ｃ１，Ｃ２が上側から中央位置｛Ｃ｝へ導入して円滑に切断される。尚、上記回転刃Ｃ１，Ｃ２の前面は、回転刃Ｃ１，Ｃ２と相似形の玉葱保護用カバー体２０により被覆されている。【００１７】  上記玉葱保護用カバー体２０の手前下方位置には、前後方向に向けた水平回転軸Ｓ５，Ｓ６に取り付けた一対の茎切り回転刃Ｃ３，Ｃ４が揺動支持体３０の上部に配置した茎切３３の裏面に配置されている。上記揺動支持体３０は、前後方向に平行移動するように、フレーム体Ｆの下部に直立させた前後の並行板３１，３２とこの頂部に直立させた茎切板３３の中央上部に設けた茎切溝３３Ａの両側に水平回転軸Ｓ３，Ｓ４が取り付けられ、この水平回転軸Ｓ３，Ｓ４に茎切り回転刃Ｃ３，Ｃ４が回転自在に支持されている。上記茎切溝３３Ａに茎切り回転刃Ｃ３，Ｃ４の両接合部が合わせられている。また、茎切溝３３Ａには左右２本のガイドバーＧ１，Ｇ２がＶ字状に取り付けられている。勿論、ガイドバーＧ１，Ｇ２は無くても良い。しかして、この茎切溝３３Ａに玉葱１０の茎１０Ｂを上から押し込み、茎切り回転刃Ｃ３，Ｃ４を通過時に切断される。また、上記揺動支持体３０は、上記一対の茎切り回転刃Ｃ３，Ｃ４を上記玉葱保護用カバー体２０に対して接近させるようにフレーム体Ｆと茎切板３３との間にバネＳＰが張架されている。そして、玉葱保護用カバー体２０と茎切り回転刃Ｃ３，Ｃ４との隙間寸法ＬＯが最小球体高さ寸法ＨＯよりもやや狭くなるように、ストッパーＳＴにより保持されている。上記玉葱の球体１０Ｃを揺動支持体３０の隙間に押し込むと、バネＳＰに抗して揺動支持体３０を玉葱保護用カバー体２０から離反して広げ、玉葱を玉葱保護用カバー体２０と揺動支持体３０の隙間に挿入することができる。【００１８】  以上の構成を基に、本考案の玉葱の根茎切断装置１００についてその作用を説明する。まず、玉葱１０の根茎切断装置１００は、図２と図３に示すように、玉葱１０の球体１０Ｃまたは茎葉１０Ｄ等を水平姿勢に右手Ｈに持ち、根１０Ａを奥側へ揃えて位置決め部材９０のガイド板９１に押し当て下方のガイドバー９３へ引き下げて誘導すると、根部が一対の回転ブラシＢ１，Ｂ２に引き伸ばされて導入される。しかし、玉葱はガイドバーで固定された正しい位置に保持されたままとなる。これで、玉葱１０の根１０Ａは回転ブラシＢ１，Ｂ２により束ねられた形態で奥方に適度の緊張状態で引き伸ばされる。この状態の根１０Ａは、玉葱１０を一対の回転している根切り回転刃Ｃ１，Ｃ２に接近させながら通過させる。この時、図２と図３に示すように、玉葱の根１０Ａがその根元から正確に切断される。尚、このとき玉葱の根元の果肉部は、一対の回転刃の前面を被った玉葱保護用カバー体２０により保護されて切断されず、根元からきれいに所定の寸法関係で切断される。【００１９】  上記玉葱１０は根元１０Ａの切断後に、上記回転刃Ｃ１，Ｃ２の手前に配置した玉葱保護用カバー体２０の前面に接して下方へ水平姿勢のままで押し下げると、この球体が上記玉葱保護用カバー体２０に対し適度のばね力で接近付与する揺動支持体３０に支持された一対の茎切り回転刃Ｃ３，Ｃ４を離反させる。これと同時に球体をしっかり手に持ち、水平姿勢が崩れないようにして下降させ、茎葉１０Ｄを茎切溝３３Ａ内に挿入しつつ、茎切り回転刃Ｃ３，Ｃ４に押し切りされる。これにより、玉葱１０は水平姿勢が崩れることなく正確な寸法と綺麗な切り口が得られる。しかして、玉葱は、その根茎切断処理が容易・安全に行われる。尚、切断された玉葱の球体１０Ｃは、回転刃Ｃ３，Ｃ４の下方のシュート５０から玉葱の収集容器６０に集められる。【００２０】  以上、第１の実施の形態によると次のような効果を奏することができる。まず、玉葱１０は水平姿勢に手Ｈに持って位置決め部材９０に沿って押し下げるだけで、根１０Ａが根元から綺麗に切断でき、茎葉１０Ｄが球体の首部１０Ｂにおいて、所定の首寸法のもとに正確に切断できる。また、玉葱は、その水平姿勢を保持したたままで、一対の茎切り回転刃Ｃ３，Ｃ４間を手動操作のもとに押し下げることで、水平姿勢を崩すことなく茎葉が正確な寸法と綺麗な切り口で切断できる。【００２１】  更に、駆動モータＤＭにより回転ブラシＢ１，Ｂ２及び一対の根切り回転刃Ｃ１，Ｃ２が強制駆動されるから、玉葱１０の球体等を水平姿勢に手に持った状態で、軽く・スムーズに切断作業ができる。【００２２】  ��ち、本考案の玉葱の根茎切断装置１００は、小規模から中規模な玉葱栽培の生産者に向き、小規模生産者にとって、玉葱生産による利潤確保が可能である。【００２３】  尚、本考案は、上記第１の実施の形態に限定されない。例えば、図４に示す第２の実施の形態の玉葱の根茎切断装置２００は、上記玉葱保護用カバー体２０と一対の茎切り回転刃Ｃ３，Ｃ４との空間ＳＯ内に、玉葱１０の球体１０Ｃ下側を保持する下ホルダＨ１と球体上側を上方から降下して挟持させる上ホルダＨ２とからなる玉葱保持体７０が配設されている。その詳細構成は、フレーム体Ｆに付設された支持具４０に昇降レール４１が付設されている。この昇降レール４１の下端に下ホルダＨ１が昇降可能に係合されており、バネＳＰ１で浮上力が付与され茎切り回転刃Ｃ３，Ｃ４とほぼ同じ高さとなるようにストッパーＳＴ１によりこれ以上の浮上が止められている。上ホルダＨ２は、昇降レール４５に昇降可能に係合した移動体４６で、上記下ホルダＨ１の真上に位置する。この上ホルダＨ２も、バネＳＰ２により浮上力が付与されていて、一対の回転ブラシＢ１，Ｂ２よりもやや上方位置にストッパー４７でこれ以上の浮上が止められている。尚、上記下ホルダＨ１の上面及び上ホルダＨ２の下面には、各々玉葱１０の球体１０Ｃを確実に挟持する為の凹面Ｕ１，Ｕ２が形成されている。また、移動体４６の左側には手に持って昇降させるための握り部４６Ａを備えている。【００２４】  しかして、上記回転刃Ｃ１，Ｃ２で根１０Ａを切断し、この前面に位置し右手に持つ玉葱１０は、上ホルダＨ２を左手で押し下げると球体１０Ｃが凹面Ｕ２に係合して押し下げられ、下ホルダＨ１の凹面Ｕ１が球体１０Ｃの下側を捉え、その後は一体となって球体姿勢を崩すことなく下降させ、茎葉１０Ｄを茎切溝３３Ａ内に挿入しつつ、茎切り回転刃Ｃ３，Ｃ４で首部１０Ｂを押し切りする機能を持っている。その他の構成は、上記第１の実施の形態の玉葱の根茎切断装置１００と同一構成であるから、同一符号を付して説明を省略する。【００２５】  上記第２の実施の形態の玉葱の根茎切断装置２００は、図４と図５に示すように作用する。上記玉葱１０は根元１０Ａの切断後に、上記回転刃Ｃ１，Ｃ２の手前に配置した玉葱保護用カバー体２０の前面に接して下方へ水平姿勢のままで押し下げると、この球体が上記玉葱保護用カバー体２０に対し適度のばね力で接近付与する揺動支持体３０に支持された一対の茎切り回転刃Ｃ３，Ｃ４を離反させる。これと同時に、玉葱保持体３５における上ホルダＨ２を左手で押し下げると、球体が凹面Ｕ２に係合して押し下げられ、下ホルダＨ１の凹面Ｕ１が球体の下側を捉え、その後は一体となって球体の水平姿勢を崩すことなく下降させ、茎葉１０Ｄを茎切溝３３Ａ内に挿入しつつ、茎切り回転刃Ｃ３，Ｃ４で首部１０Ｂが押し切りされる。これにより、玉葱１０は水平姿勢が崩れることなく正確な寸法と綺麗な切り口が得られる。しかして、玉葱は、その根茎切断処理が容易・安全・正確に行われる。尚、切断された玉葱の球体１０Ｃは、回転刃Ｃ３，Ｃ４の下方のシュート５０から玉葱の収集容器６０に集められる。【００２６】  以上、第２の実施の形態によると次のような効果を奏することができる。まず、玉葱１０は水平姿勢に手に持って押し下げるだけで、根１０Ａが根元から綺麗に切断でき、茎葉１０Ｂが球体の首部１０Ｂにおいて、所定の首寸法のもとに正確に切断できる。また、玉葱は、玉葱保持体３０により球体下側が下ホルダＨ１で支持され球体上側が上ホルダＨ２で挟持されるから、玉葱はその水平姿勢を保持したたままで、一対の茎切り回転刃Ｃ３，Ｃ４間を手動操作のもとに押し下げられ、水平姿勢が崩れることなく首部１０Ｂが正確な寸法と綺麗な切り口で切断できる。【００２７】  尚、図６に示すように、玉葱保持体３５の上ホルダＨ２は、自動操作する第３の実施の形態の玉葱の根茎切断装置３００の構成としても良い。即ち、昇降レール４５に係合する移動体４６に送りモータ（又はシリンダ）Ｍで回転される送りねじ棒ＢＳを繋ぎ、この正転・逆転の駆動により上ホルダＨ２を昇降移動させる。勿論、送りねじ棒ＢＳに替えてシリンダによりロッドを昇降動したり、ワイヤによる巻上式としても良い。上記上ホルダＨ２の上限位置と下限位置には、各々の上限スイッチＳｍと下限スイッチＳｎを配置して移動体（上ホルダＨ２）４６と下ホルダＨ１を検知し、この範囲内で移動体４６、即ち上ホルダＨ２を昇降移動させる。上記回転ブラシＢ１，Ｂ２の位置には、玉葱１０の挿入・下降を感知する感知スイッチＳｋが配置されたものである。上記各スイッチＳｍ，Ｓｎ，Ｓｋ及び送りモータＭは、電気制御部８０に繋がれていて、上ホルダＨ２を昇降駆動するようにプログラムコントロールされている。その他の構成は、上記第１の実施の形態と同一であり説明を省略する。【００２８】  上記第３の実施の形態に係わる玉葱の根茎切断装置３００は、図６と図７に示すように作用する。上記玉葱１０は根元１０Ａの切断後に、玉葱１０の下降移動を感知スイッチＳｋが検知すると上限位置に待機する移動体４６をモータ（又はシリンダ）Ｍの正転起動で下降起動させる。上記移動体４６の下降移動で、玉葱１０の球体１０Ｃを下ホルダＨ１との間で挟持した姿勢で更に下降を続け、安定した水平姿勢玉葱の茎部１０Ｂがその切り口を正確に自動切断される。切断後は、下限スイッチＳｎが移動体４６を感知してモータ（又はシリンダ）Ｍを逆転起動して上昇起動させる。この移動体４６の上昇移動は、上限スイッチＳｍが移動体４６を感知するとモータ（又はシリンダ）Ｍを停止して、玉葱１０の根茎処理の１サイクルが終了する。以下、同様な自動サイクルを繰り返すから、特に、玉葱１０の茎葉１０Ｄにおける首部１０Ｂの切断作業が軽作業のもとに正確な切り口切断が実現される。【００２９】  即ち、玉葱１０の根茎切断装置３００の作用・効果は、玉葱の根切り作業に続く、茎切り作業を玉葱保持体３０の自動運転により自動的に実行されるとともに、自動実行できる。しかして、球体は一対の茎切り回転刃間を自動操作のもとに押し下げられ、水平姿勢が崩れることなく首部１０Ｂが正確な寸法と綺麗な切り口で切断できる。
【産業上の利用可能性】
【００３０】  本考案は、玉葱の根茎葉の切断装置として説明したが、それに限定されるものではなく、様々な球根類（百合・チューリップ・水仙等）の切断装置に適用可能である。
【図面の簡単な説明】
【００３１】
【図１】本考案の第１の実施の形態を示し、玉葱の根茎切断装置の斜視図である。
【図２】本発明の第１の実施の形態を示し、根茎切断装置の側面図である。
【図３】本発明の第１の実施の形態を示し、根茎切断装置の作用図である。
【図４】本発明の第２の実施の形態を示し、根茎切断装置の斜視図である。
【図５】本考案の第２の実施の形態を示し、根茎切断装置の作用図である。
【図６】本考案の第３の実施の形態を示し、根茎切断装置の斜視図である。
【図７】本発明の第３の実施の形態を示し、根茎切断装置の作用図である。
【符号の説明】
【００３２】１，２                プーリー
３                    ベルト
１０                  玉葱
１０Ａ                根
１０Ｂ                首部
１０Ｃ                球体
１０Ｄ                茎付き葉（茎葉）
２０                  玉葱保護用カバー体
３０                  揺動支持体
３１，３２            前後並行板
３３                  茎切板
３３Ａ                茎切溝
３５                  玉葱保持体
４０                  支持具
４１                  昇降レール
ＳＴ                  ストッパー
ＳＴ１                ストッパー
４６                  移動体
４６Ａ                握り部
４７                  ストッパー
４８                  ストッパー
５０                  シュート
６０                  収集容器
７０                  玉葱保持体
８０                  電気制御部
９０                  位置決め部材
９１                  ガイド板
９３                  ガイドバー
１００                玉葱の根茎切断装置
２００                玉葱の根茎切断装置
３００                玉葱の根茎切断装置
Ｂ１，Ｂ２            回転ブラシ
ＢＳ                  送りねじ棒
Ｃ                    中央位置
Ｃ１，Ｃ２            根切り回転刃
Ｃ３，Ｃ４            茎葉切り回転刃
ＬＯ                  隙間寸法
Ｆ                    フレーム体
ＦＷ                  フレキシブルワイヤ
Ｈ                    手
Ｈ１                  下ホルダ
Ｈ２                  上ホルダ
ＨＯ                  最小球体高さ寸法
ＭＯ                  駆動モータ
Ｍ                    モータ
Ｓ１，Ｓ２            垂直回転軸
Ｓ３，Ｓ４            水平回転軸
Ｓ５，Ｓ６            水平回転軸
Ｓｍ                  上限スイッチ
Ｓｎ                  下限スイッチ
Ｓｋ                  感知スイッチ
ＳＰ                  バネ
ＳＰ１                バネ
ＳＰ２                バネ
Ｕ１，Ｕ２            凹面
【図１】
0003115493.tif 000003
【図２】
0003115493.tif 000004
【図３】
0003115493.tif 000005
【図４】
0003115493.tif 000006
【図５】
0003115493.tif 000007
【図６】
0003115493.tif 000008
【図７】
0003115493.tif 000009